(57)【要約】      （修正有）【課題】握部の滑止めプラスチックカバー被覆構造を提供する。【解決手段】握部の滑止めプラスチックカバー被覆構造は、支持心管１０を備える。支持心管１０の外側には、物品を覆う弾性プラスチックカバー２０が配設される。支持心管１０は、連続した長尺状の帯体が螺旋状に巻かれて成形された中空管体からなる。帯体１１の拡幅部両側の接合箇所には、開口が内側を向いた係合部と、開口が外側を向いた係合部とが設けられる。係合部は、凸部及び凹部を含む。凹部は、開口の方向にかけて小さくなっている斜面を有し、斜面により帯体１１の凸部と凹部とが強めに係合され、熱風により溶接されて一体化される。支持心管１０の帯体１１は、ポリプロピレンからなる。弾性プラスチックカバー２０は、ゴム又はシリコーンからなる。【選択図】図２
0003225963.tif 000002
【実用新案登録請求の範囲】
【請求項１】
支持心管を備えた、握部の滑止めプラスチックカバー被覆構造であって、
前記支持心管の外側には、物品を覆う弾性プラスチックカバーが配設され、
前記支持心管は、連続した長尺状の帯体が螺旋状に巻かれて成形された中空管体からなり、前記帯体の拡幅部両側の接合箇所には、開口が内側を向いた係合部と、開口が外側を向いた係合部とが設けられ、前記係合部は、凸部及び凹部を含み、前記凹部は、開口の方向にかけて小さくなっている斜面を有し、前記斜面により前記帯体の前記凸部と前記凹部とが強めに係合され、熱風により溶接されて一体化されてなることを特徴とする握部の滑止めプラスチックカバー被覆構造。
【請求項２】
前記支持心管の前記帯体は、ポリプロピレン（Ｐｏｌｙｐｒｏｐｙｌｅｎｅ：ＰＰ）からなることを特徴とする請求項１に記載の握部の滑止めプラスチックカバー被覆構造。
【請求項３】
前記弾性プラスチックカバーは、ゴム又はシリコーンからなることを特徴とする請求項１に記載の握部の滑止めプラスチックカバー被覆構造。
【請求項４】
前記弾性プラスチックカバーの外表面には、滑止めパターンが設けられ、
前記滑止めパターンは、点、線、面の何れか１つ、何れか２つの組み合わせ又は何れか３つの組み合わせからなることを特徴とする請求項１に記載の握部の滑止めプラスチックカバー被覆構造。
【請求項５】
前記物品は、ハンドツールのレンチ、ドライバー、ハンマー、ペンチの握部であることを特徴とする請求項１に記載の握部の滑止めプラスチックカバー被覆構造。
【請求項６】
前記物品は、運動具のゴルフクラブ、バドミントンラケット、テニスラケットの握部であることを特徴とする請求項１に記載の握部の滑止めプラスチックカバー被覆構造。
【請求項７】
前記物品は、コップ、瓶の外表面であることを特徴とする請求項１に記載の握部の滑止めプラスチックカバー被覆構造。
【請求項８】
支持心管を備えた握部の滑止めプラスチックカバー被覆構造であって、
前記支持心管は、連続した長尺状の帯体が螺旋状に巻かれて熱風により溶接されて成形された中空管体からなり、
成形装置は、螺旋巻取装置、熱風溶接装置及び切断成形装置を含み、
前記螺旋巻取装置は、フィードローラ、ウェブローラ及びニップローラを含み、前記フィードローラは、装置の前方に配設され、前記ウェブローラは、装置の上方に配設され、前記ニップローラは、装置の下方に配設され、前記フィードローラは、前記ウェブローラと前記ニップローラとの間の前方に配設され、前記ウェブローラ及び前記ニップローラは上下の関係に配設され、前記ウェブローラの軸心には、円形に配設されたストッパ部が外方に延び、前記ストッパ部の軸心には、円形に配設された巻軸が外方に延び、前記ストッパ部の外径は、前記巻軸の外径より大きく、前記ニップローラは前記ストッパ部に接触され、前記ニップローラが時計回りに回転すると、前記ウェブローラは逆時計回りに回転し、前記巻軸の円周面には、等間隔に配置された複数本のリブが設けられ、前記リブは、互いに平行に設けられるとともに、軸心が同じ方向を向き、前記リブと前記ニップローラとの間は、適宜な間隔に保たれ、前記間隔は、前記帯体の厚さに等しく、
前記熱風溶接装置は、前記フィードローラの上方に配設され、前記熱風溶接装置は、ノズルを有し、前記ノズルは、前記帯体の表面に接触され、
前記切断成形装置は、前記ウェブローラの前記巻軸の上方に配設されるとともに、カッターを有し、
前記フィードローラが時計回りに回転すると、前記ノズルから吹出た熱風により前記帯体が溶融状態になるまで加熱され、前記帯体が前記ウェブローラと前記ニップローラとの間に形成された間隙に連続して送り込まれ、前記帯体が前記巻軸の前記リブ上において螺旋方向に巻かれて前記中空管体が適宜な長さに成形された後、前記切断成形装置の前記カッターにより既に成形された前記支持心管が切断されることを特徴とする握部の滑止めプラスチックカバー被覆構造。
【請求項９】
前記熱風溶接装置の前記ノズルから吹出る熱風温度は１３０〜１７０℃の範囲内にあることを特徴とする請求項８に記載の握部の滑止めプラスチックカバー被覆構造。
【考案の詳細な説明】
【技術分野】
【０００１】
本考案は、握部の滑止めプラスチックカバー被覆構造に関するものである。
【背景技術】
【０００２】
従来のハンドツール（例えばレンチ、ドライバー、ハンマー、ペンチなど）又は運動具（例えば、ゴルフクラブ、バドミントンラケット、テニスラケットなど）の握部、更にはコップ、瓶などの物品は、滑止め機能を備えて握り心地を良くするために、物品のハンドル又は外表面をプラスチック材料からなるプラスチックカバー又はプラスチックフィルムにより被覆されている。
【０００３】
上述したような従来のプラスチックカバー又はプラスチックフィルムで物品のハンドル又は外表面を覆うには、以下（１）〜（３）の３つの方式が採用されてきた。
（１）第一に、接着方式により物品のハンドルをプラスチックカバーで覆って固定する方式。
（２）第二に、プラスチックフィルムを巻いてロール状に成形して縫合した後、摺動方式で物品のハンドルに嵌合させる方式。
（３）第三に、物品のハンドルにプラスチックフィルムを重ねて巻き付ける方式等を挙げることができる。
しかし、上述した（１）〜（３）の何れの方式であっても物品のハンドルに取り付けたプラスチックカバー又はプラスチックフィルムは、長時間使用して力が加わると、その接着、縫合又は巻付の固定効果が次第に弱くなり、外れてしまう虞が指摘されてきた。
【考案の概要】
【考案が解決しようとする課題】
【０００４】
従って、本考案の課題は、長期間使用した場合においても、接合、縫合又は巻付けの固定作用の低下が抑制された握部の滑止めプラスチックカバー被覆構造を提供することにある。
【課題を解決するための手段】
【０００５】
そこで、本考案者は、本考案の前記課題を解決するため鋭意検討を重ねた結果、支持心菅を備え、その外側に物件を覆う弾性プラスチックカバーが配設され、支持心菅は、長尺状の帯体が螺旋状に巻かれて成形された中空菅体からなるものとすることにより本考案の前記課題を解決できることに着目し、本考案に想到するに至った。すなわち、上記課題を解決するために、本考案の第１の形態によれば、支持心管を備えた、握部の滑止めプラスチックカバー被覆構造であって、前記支持心管の外側には、物品を覆う弾性プラスチックカバーが配設され、前記支持心管は、連続した長尺状の帯体が螺旋状に巻かれて成形された中空管体からなり、前記帯体の拡幅部両側の接合箇所には、開口が内側を向いた係合部と、開口が外側を向いた係合部とが設けられ、前記係合部は、凸部及び凹部を含み、前記凹部は、開口の方向にかけて小さくなっている斜面を有し、前記斜面により前記帯体の前記凸部と前記凹部とが強めに係合され、熱風により溶接されて一体化されることを特徴とする、握部の滑止めプラスチックカバー被覆構造を提供する。
【０００６】
かくして、本考案の要旨は、次の（１）〜（９）に記載の通りのものである。
（１）支持心管を備えた、握部の滑止めプラスチックカバー被覆構造であって、
前記支持心管の外側には、物品を覆う弾性プラスチックカバーが配設され、
前記支持心管は、連続した長尺状の帯体が螺旋状に巻かれて成形された中空管体からなり、前記帯体の拡幅部両側の接合箇所には、開口が内側を向いた係合部と、開口が外側を向いた係合部とが設けられ、前記係合部は、凸部及び凹部を含み、前記凹部は、開口の方向にかけて小さくなっている斜面を有し、前記斜面により前記帯体の前記凸部と前記凹部とが強めに係合され、熱風により溶接されて一体化されてなることを特徴とする握部の滑止めプラスチックカバー被覆構造。
【０００７】
（２）前記支持心管の前記帯体は、ポリプロピレン（Ｐｏｌｙｐｒｏｐｙｌｅｎｅ：ＰＰ）からなることを特徴とする前記（１）に記載の握部の滑止めプラスチックカバー被覆構造。
【０００８】
（３）前記弾性プラスチックカバーは、ゴム又はシリコーンからなることを特徴とする前記（１）に記載の握部の滑止めプラスチックカバー被覆構造。
【０００９】
（４）前記弾性プラスチックカバーの外表面には、滑止めパターンが設けられ、
前記滑止めパターンは、点、線、面の何れか１つ、何れか２つの組み合わせ又は何れか３つの組み合わせからなることを特徴とする前記（１）に記載の握部の滑止めプラスチックカバー被覆構造。
【００１０】
（５）前記物品は、ハンドツールのレンチ、ドライバー、ハンマー、ペンチの握部であることを特徴とする前記（１）に記載の握部の滑止めプラスチックカバー被覆構造。
【００１１】
（６）前記物品は、運動具のゴルフクラブ、バドミントンラケット、テニスラケットの握部であることを特徴とする前記（１）に記載の握部の滑止めプラスチックカバー被覆構造。
【００１２】
（７）前記物品は、コップ、瓶の外表面であることを特徴とする前記（１）に記載の握部の滑止めプラスチックカバー被覆構造。
【００１３】
（８）支持心管を備えた握部の滑止めプラスチックカバー被覆構造であって、
前記支持心管は、連続した長尺状の帯体が螺旋状に巻かれて熱風により溶接されて成形された中空管体からなり、
成形装置は、螺旋巻取装置、熱風溶接装置及び切断成形装置を含み、
前記螺旋巻取装置は、フィードローラ、ウェブローラ及びニップローラを含み、前記フィードローラは、装置の前方に配設され、前記ウェブローラは、装置の上方に配設され、前記ニップローラは、装置の下方に配設され、前記フィードローラは、前記ウェブローラと前記ニップローラとの間の前方に配設され、前記ウェブローラ及び前記ニップローラは上下の関係に配設され、前記ウェブローラの軸心には、円形に配設されたストッパ部が外方に延び、前記ストッパ部の軸心には、円形に配設された巻軸が外方に延び、前記ストッパ部の外径は、前記巻軸の外径より大きく、前記ニップローラは前記ストッパ部に接触され、前記ニップローラが時計回りに回転すると、前記ウェブローラは逆時計回りに回転し、前記巻軸の円周面には、等間隔に配置された複数本のリブが設けられ、前記リブは、互いに平行に設けられるとともに、軸心が同じ方向を向き、前記リブと前記ニップローラとの間は、適宜な間隔に保たれ、前記間隔は、前記帯体の厚さに等しく、
前記熱風溶接装置は、前記フィードローラの上方に配設され、前記熱風溶接装置は、ノズルを有し、前記ノズルは、前記帯体の表面に接触され、
前記切断成形装置は、前記ウェブローラの前記巻軸の上方に配設されるとともに、カッターを有し、
前記フィードローラが時計回りに回転すると、前記ノズルから吹出た熱風により前記帯体が溶融状態になるまで加熱され、前記帯体が前記ウェブローラと前記ニップローラとの間に形成された間隙に連続して送り込まれ、前記帯体が前記巻軸の前記リブ上において螺旋方向に巻かれて前記中空管体が適宜な長さに成形された後、前記切断成形装置の前記カッターにより既に成形された前記支持心管が切断されることを特徴とする握部の滑止めプラスチックカバー被覆構造。
【００１４】
（９）前記熱風溶接装置の前記ノズルから吹出る熱風温度は１３０〜１７０℃の範囲内にあることを特徴とする前記（８）に記載の握部の滑止めプラスチックカバー被覆構造。
【考案の効果】
【００１５】
本考案の握部の滑止めプラスチックカバー被覆構造は、帯体が外力を受けて引っ張られるときに、凸部と凹部との溶接個所で引き裂かれて剥がれて連続した長尺状の帯体に成形され、支持心管が次第に崩れて弾性プラスチックカバーにより物品の握部又は外部が覆われ、熱風により溶接するときの温度を一定に保つことができるため、溶接の強度が強すぎる又は弱すぎることがなく、引き裂きやすい上、弾性プラスチックカバーを支えることもできる。
【図面の簡単な説明】
【００１６】
【図１】本考案の一実施形態に係る握部の滑止めプラスチックカバー被覆構造を示す斜視図である。
【図２】本考案の一実施形態に係る握部の滑止めプラスチックカバー被覆構造を示す分解斜視図及び部分拡大図である。
【図３】本考案の一実施形態に係る握部の滑止めプラスチックカバー被覆構造の部分拡大図である。
【図４】本考案の一実施形態に係る握部の滑止めプラスチックカバー被覆構造を示す断面図である。
【図５】本考案の一実施形態に係る握部の滑止めプラスチックカバー被覆構造の帯体の第１の係合部と帯体の第２の係合部とを係合するときの状態を示す説明図である。
【図６】本考案の一実施形態に係る握部の滑止めプラスチックカバー被覆構造をトルクレンチの握部に嵌設させる状態を示す説明図（１）である。
【図７】本考案の一実施形態に係る握部の滑止めプラスチックカバー被覆構造をトルクレンチの握部に嵌設させる状態を示す説明図（２）である。
【図８】本考案の帯体を外に引出すときに、凸部と凹部との溶接個所で引き裂かれて剥がれる状態を示す断面図である。
【図９】本考案の一実施形態に係る握部の滑止めプラスチックカバー被覆構造の弾性プラスチックカバーによりトルクレンチの握部表面を覆う動作を示す説明図である。
【図１０】本考案の一実施形態に係る握部の滑止めプラスチックカバー被覆構造の弾性プラスチックカバーによりトルクレンチの握部表面を覆う動作が完了した状態を示す説明図である。
【図１１】本考案の一実施形態に係る握部の滑止めプラスチックカバー被覆構造をゴルフクラブの握部に応用した状態を示す斜視図である。
【図１２】本考案の一実施形態に係る握部の滑止めプラスチックカバー被覆構造をバドミントンの握部に応用した状態を示す斜視図である。
【図１３】連続した長尺状の帯体が螺旋状に巻かれて熱風により溶接されて中空管体に成形された状態を示す連続動作状態を示す説明図（１）である。
【図１４】連続した長尺状の帯体が螺旋状に巻かれて熱風により溶接されて中空管体に成形された状態を示す連続動作状態を示す説明図（２）である。
【図１５】連続した長尺状の帯体が螺旋状に巻かれて熱風により溶接されて中空管体に成形された状態を示す連続動作状態を示す説明図（３）である。
【図１６】本考案の一実施形態に係る握部の滑止めプラスチックカバー被覆構造の切断装置が下降し、支持心管を適宜な長さに切断する動作状態を示す説明図である。
【図１７】本考案の一実施形態に係る握部の滑止めプラスチックカバー被覆構造の切断装置が切断を完了する上昇動作を示す説明図である。
【考案を実施するための形態】
【００１７】
以下、図面により、本考案を具体的に説明する。もっとも、本考案は、かかる図面により限定されるものではない。
【００１８】
図１〜図４を参照する。図１は、本考案の一実施形態に係る握部の滑止めプラスチックカバー被覆構造を示す斜視図である。図２は、本考案の一実施形態に係る握部の滑止めプラスチックカバー被覆構造を示す分解斜視図及び部分拡大図である。図４は、本考案の一実施形態に係る握部の滑止めプラスチックカバー被覆構造を示す断面図である。図１〜図４に示すように、本考案の一実施形態に係る握部の滑止めプラスチックカバー被覆構造は、少なくとも支持心管１０及び弾性プラスチックカバー２０から構成されてなる。
【００１９】
支持心管１０の帯体１１は、ポリプロピレン（Ｐｏｌｙｐｒｏｐｙｌｅｎｅ：ＰＰ）からなる。帯体１１の拡幅部両側の接合箇所には、開口が内側を向いた第１の係合部１２と、開口が外側を向いた第２の係合部１３とが設けられている。第１の係合部１２は、第１の凸部１４及び第１の凹部１５を含む。第１の凹部１５は、開口の方向にかけて小さくなっている第１の斜面１５１を有する。第２の係合部１３は、第２の凸部１６及び第２の凹部１７を含む。第２の凹部１７は、開口の方向にかけて小さくなっている第２の斜面１７１を有し、帯体１１の第１の係合部１２の第１の凸部１４及び第１の凹部１５を、帯体１１の第２の係合部１３の第２の凸部１６及び第２の凹部１７に強めに係合させて一体化させることができる（図４を参照する）。支持心管１０は、連続した長尺状の帯体１１を螺旋方式で熱風により溶接して中空管体に成形し、ポリプロピレンの融点が１３０〜１７０℃の範囲内（材料の結晶度に依る）にあるため、熱風により溶接する温度範囲も１３０〜１７０℃の範囲内にある。
【００２０】
弾性プラスチックカバー２０は、ゴム又はシリコーンからなる。弾性プラスチックカバー２０は、弾性を有するため、物品の握部１の表面に強く巻き付けることができる。弾性プラスチックカバー２０は、押し広げた後、支持心管１０の外側に配設される。弾性プラスチックカバー２０の外表面には、滑止めパターン２１が設けられる。滑止めパターン２１は、点、線、面の何れか１つ、何れか２つの組み合わせ又は何れか３つの組み合わせからなる。
【００２１】
本考案の握部の滑止めプラスチックカバー被覆構造は、前記の通りの構成からなるものであり、その実際の操作について以下詳細に説明する。
【００２２】
図６〜図１０を参照する。図５〜図９に示すように、トルクレンチの握部１に応用する場合、まず、ユーザはトルクレンチの握部１の外側面に直接外嵌してから（図６及び図７を参照する）、支持心管１０の帯体１１を外へ引出し、帯体１１の第１の凸部１４及び第１の凹部１５が接合した帯体１１の第２の凸部１６と第２の凹部１７との溶接個所で引き裂かれて剥がれ（図８を参照する）、弾性プラスチックカバー２０によりトルクレンチの握部１の表面（図９及び図１０を参照する）を覆い、滑止め防止及び握り心地が良い効果が得られる。
【００２３】
図１１を参照する。図１１は、本考案の一実施形態に係る握部の滑止めプラスチックカバー被覆構造をゴルフクラブの握部に応用した状態を示す斜視図である。本実施形態の握部の滑止めプラスチックカバー被覆構造は、ゴルフクラブの握部に応用しても、滑止め防止及び握り心地が良い効果が得られる。
【００２４】
図１２を参照する。図１２は、本考案の一実施形態に係る握部の滑止めプラスチックカバー被覆構造をバドミントンの握部に応用した状態を示す斜視図である。図１２に示すように、本考案の一実施形態に係る握部の滑止めプラスチックカバー被覆構造は、バドミントンのハンドルに応用しても、滑止め防止及び握り心地が良い効果が得られる。
【００２５】
図１３〜図１５を参照する。図１３〜図１５は、連続した長尺状の帯体が螺旋状に巻かれて熱風により溶接されて中空管体に成形された状態を示す連続動作状態を示す説明図（１）〜（３）である。図１３〜図１５に示すように、本考案の一実施形態に係る握部の滑止めプラスチックカバー被覆構造は、螺旋巻取装置３０、熱風溶接装置４０及び切断成形装置５０を含む。
【００２６】
上述した螺旋巻取装置３０は、フィードローラ３１、ウェブローラ３２及びニップローラ３３を含む。フィードローラ３１は、装置の前方に配設される。ウェブローラ３２は、装置の上方に配設される。ニップローラ３３は、装置の下方に配設される。フィードローラ３１は、ウェブローラ３２とニップローラ３３との間の前方に配設される。ウェブローラ３２及びニップローラ３３は上下の関係に配設される。ウェブローラ３２の軸心には、円形に配設されたストッパ部３４が外方に延びる。ストッパ部３４の軸心には、円形に配設された巻軸３５が外方に延びる。ストッパ部３４の外径は、巻軸３５の外径より大きく、ニップローラ３３はストッパ部３４に貼り合わされる。ニップローラ３３が時計回りに回転すると、ウェブローラ３２は逆時計回りに回転する。巻軸３５の円周面には、等間隔に配置した複数本のリブ３６が設けられる。複数本のリブ３６は、互いに平行に設けられ、軸心が同じ方向を向いている。複数本のリブ３６とニップローラ３３との間は、適宜な間隔に保たれ、その間隔は、帯体１１の厚さに等しい。フィードローラ３１が時計回りに回転すると、帯体１１がウェブローラ３２とニップローラ３３との間に形成された間隙に連続して搬送されるとともに、帯体１１が巻軸３５の複数本のリブ３６上において螺旋方向で巻かれて中空管体に成形される。
【００２７】
熱風溶接装置４０は、４５度の傾斜角度でフィードローラ３１の上方に設置される。熱風溶接装置４０は、ノズル４１を有する。ノズル４１は、帯体１１の表面に接触され、ノズル４１から吹出る熱風により帯体１１を溶接し、帯体１１の第１の係合部１２は、第１の凸部１４及び第１の凹部１５に帯体１１の第２の係合部１３の第２の凸部１６及び第２の凹部１７が係合され、溶接により一体化される。
【００２８】
切断成形装置５０は、９０度の傾斜角度でウェブローラ３２の巻軸３５の上方に配設される。切断成形装置５０は、カッター５１を有する。図１６及び図１７を参照する。図１６は、本考案の一実施形態に係る握部の滑止めプラスチックカバー被覆構造の切断装置が下降し、支持心管を適宜な長さに切断する動作状態を示す説明図である。図１７は、本考案の一実施形態に係る握部の滑止めプラスチックカバー被覆構造の切断装置が切断を完了する上昇動作を示す説明図である。図１６及び図１７に示すように、支持心管１０を巻き取って適宜な長さに成形した後、切断成形装置５０のカッター５１を下げて既に成形した支持心管１０を切断し、切断が完了した後、切断成形装置５０のカッター５１が元の位置まで上昇する。
【符号の説明】
【００２９】
１  握部
１０  支持心管
１１  帯体
１２  第１の係合部
１３  第２の係合部
１４  第１の凸部
１５  第１の凹部
１６  第２の凸部
１７  第２の凹部
２０  弾性プラスチックカバー
２１  滑止めパターン
３０  螺旋巻取装置
３１  フィードローラ
３２  ウェブローラ
３３  ニップローラ
３４  ストッパ部
３５  巻軸
３６  リブ
４０  熱風溶接装置
４１  ノズル
５０  切断成形装置
５１  カッター
１５１  第１の斜面
１７１  第２の斜面
【図１】
0003225963.tif 000003
【図２】
0003225963.tif 000004
【図３】
0003225963.tif 000005
【図４】
0003225963.tif 000006
【図５】
0003225963.tif 000007
【図６】
0003225963.tif 000008
【図７】
0003225963.tif 000009
【図８】
0003225963.tif 000010
【図９】
0003225963.tif 000011
【図１０】
0003225963.tif 000012
【図１１】
0003225963.tif 000013
【図１２】
0003225963.tif 000014
【図１３】
0003225963.tif 000015
【図１４】
0003225963.tif 000016
【図１５】
0003225963.tif 000017
【図１６】
0003225963.tif 000018
【図１７】
0003225963.tif 000019
【手続補正書】
【提出日】令和2年1月6日(2020.1.6)
【手続補正１】
【補正対象書類名】実用新案登録請求の範囲
【補正対象項目名】全文
【補正方法】変更
【補正の内容】
【実用新案登録請求の範囲】
【請求項１】
支持心管を備えた握部の滑止めプラスチックカバー被覆構造であって、
前記支持心管の外側には、物品を覆う弾性プラスチックカバーが配設され、
前記支持心管は、連続した長尺状の帯体が螺旋状に巻かれて成形された中空管体からなり、
前記帯体の拡幅部両側の接合箇所には、開口が内側を向いた係合部と、開口が外側を向いた係合部とが設けられ、前記係合部は、凸部及び凹部を含み、前記凹部は、開口の方向にかけて小さくなっている斜面を有し、前記斜面により前記帯体の前記凸部と前記凹部とが強めに係合され、熱風により溶接されて一体化されてなることを特徴とする握部の滑止めプラスチックカバー被覆構造。
【請求項２】
前記支持心管の前記帯体は、ポリプロピレン（Ｐｏｌｙｐｒｏｐｙｌｅｎｅ：ＰＰ）からなることを特徴とする請求項１に記載の握部の滑止めプラスチックカバー被覆構造。
【請求項３】
前記弾性プラスチックカバーは、ゴム又はシリコーンからなることを特徴とする請求項１に記載の握部の滑止めプラスチックカバー被覆構造。
【請求項４】
前記弾性プラスチックカバーの外表面には、滑止めパターンが設けられ、
前記滑止めパターンは、点、線、面の何れか１つ、何れか２つの組み合わせ又は何れか３つの組み合わせからなることを特徴とする請求項１に記載の握部の滑止めプラスチックカバー被覆構造。
【請求項５】
前記物品は、ハンドツールのレンチ、ドライバー、ハンマー、ペンチの握部であることを特徴とする請求項１に記載の握部の滑止めプラスチックカバー被覆構造。
【請求項６】
前記物品は、運動具のゴルフクラブ、バドミントンラケット、テニスラケットの握部であることを特徴とする請求項１に記載の握部の滑止めプラスチックカバー被覆構造。
【請求項７】
前記物品は、コップ、瓶の外表面であることを特徴とする請求項１に記載の握部の滑止めプラスチックカバー被覆構造。
【請求項８】
支持心管を備えた握部の滑止めプラスチックカバー被覆構造であって、
前記支持心管は、連続した長尺状の帯体が螺旋状に巻かれて熱風により溶接されて成形された中空管体からなり、
前記帯体の拡幅部両側の接合箇所には、開口が内側を向いた係合部と、開口が外側を向いた係合部とが設けられ、前記係合部は、凸部及び凹部を含み、前記凹部は、開口の方向にかけて小さくなっている斜面を有し、前記斜面により前記帯体の前記凸部と前記凹部とが強めに係合され、熱風により溶接されて一体化されてなり、
成形装置は、螺旋巻取装置、熱風溶接装置及び切断成形装置を含み、
前記螺旋巻取装置は、フィードローラ、ウェブローラ及びニップローラを含み、前記フィードローラは、装置の前方に配設され、前記ウェブローラは、装置の上方に配設され、前記ニップローラは、装置の下方に配設され、前記フィードローラは、前記ウェブローラと前記ニップローラとの間の前方に配設され、前記ウェブローラ及び前記ニップローラは上下の関係に配設され、前記ウェブローラの軸心には、円形に配設されたストッパ部が外方に延び、前記ストッパ部の軸心には、円形に配設された巻軸が外方に延び、前記ストッパ部の外径は、前記巻軸の外径より大きく、前記ニップローラは前記ストッパ部に接触され、前記ニップローラが時計回りに回転すると、前記ウェブローラは逆時計回りに回転し、前記巻軸の円周面には、等間隔に配置された複数本のリブが設けられ、前記リブは、互いに平行に設けられるとともに、軸心が同じ方向を向き、前記リブと前記ニップローラとの間は、適宜な間隔に保たれ、前記間隔は、前記帯体の厚さに等しく、
前記熱風溶接装置は、前記フィードローラの上方に配設され、前記熱風溶接装置は、ノズルを有し、前記ノズルは、前記帯体の表面に接触され、
前記切断成形装置は、前記ウェブローラの前記巻軸の上方に配設されるとともに、カッターを有し、
前記フィードローラが時計回りに回転すると、前記ノズルから吹出た熱風により前記帯体が溶融状態になるまで加熱され、前記帯体が前記ウェブローラと前記ニップローラとの間に形成された間隙に連続して送り込まれ、前記帯体が前記巻軸の前記リブ上において螺旋方向に巻かれて前記中空管体が適宜な長さに成形された後、前記切断成形装置の前記カッターにより既に成形された前記支持心管が切断されることを特徴とする握部の滑止めプラスチックカバー被覆構造。
【請求項９】
前記熱風溶接装置の前記ノズルから吹出る熱風温度は１３０〜１７０℃の範囲内にあることを特徴とする請求項８に記載の握部の滑止めプラスチックカバー被覆構造。